(57)【要約】本発明は、投影モジュールと光路とを含む特に自動車用のディスプレイ装置である。光路は少なくとも一つの反射素子を含み、反射素子は、投影モジュールを起点とする画像を少なくとも部分的に、ディスプレイ装置の使用者の通常の視線方向に反射するべく設けられ、投影モジュールを起点とする画像は投影モジュールによって生成され、ディスプレイ装置は、第１動作モード及び第２動作モードで動作するべく設けられ、光路の第１構成がディスプレイ装置の第１動作モードに適用され、かつ、光路の第２構成がディスプレイ装置の第２動作モードに適用され、ディスプレイ装置の第２動作モードでは、投影モジュールによって生成された画像の少なくとも一部が、ディスプレイ装置の使用者にとって、ディスプレイ装置の第１動作モードに対して拡大された態様で可視となる。
2015501440.tif 000002
【特許請求の範囲】
【請求項１】
特に自動車用のディスプレイ装置（１０）であって、
＊投影モジュール（１１）と、
＊光路（１２）と
を含み、
前記光路（１２）は少なくとも一つの反射素子（１３）を含み、
前記反射素子（１３）は、前記投影モジュール（１１）を起点とする画像を少なくとも部分的に、前記ディスプレイ装置の使用者の通常の視線方向（１５）に反射するべく設けられ、
前記投影モジュール（１１）を起点とする画像は前記投影モジュール（１１）によって生成され、
前記ディスプレイ装置（１０）は、第１動作モードにおいて及び第２動作モードにおいて動作するべく設けられ、
前記光路（１１）の第１構成は前記ディスプレイ装置（１０）の第１動作モードに適用され、かつ、前記光路（１１）の第２構成は前記ディスプレイ装置（１０）の第２動作モードに適用され、
前記ディスプレイ装置（１０）の第２動作モードでは、前記投影モジュール（１１）によって生成された画像の少なくとも一部が、前記ディスプレイ装置（１０）の第１動作モードに対して拡大された態様で前記ディスプレイ装置（１０）の使用者に可視となるディスプレイ装置（１０）。
【請求項２】
前記ディスプレイ装置（１０）の第２動作モードでは、前記投影モジュール（１１）によって生成された画像の一部のみが前記ディスプレイ装置（１０）の使用者にとって可視である、請求項１に記載のディスプレイ装置（１０）。
【請求項３】
前記ディスプレイ装置（１０）の第２動作モードでは、前記投影モジュール（１１）によって生成された画像のすべてが前記ディスプレイ装置（１０）の使用者にとって可視である、請求項１又は２に記載のディスプレイ装置（１０）。
【請求項４】
＊前記投影モジュール（１１）によって生成された画像は、前記画像の第１方向では第１の数の画素（ピクセル）を含み、かつ、前記画像の第２方向では第２の数の画素（ピクセル）を含む画像であり、
＊前記ディスプレイ装置（１０）の第２動作モードでは、前記画像の第１方向における第３の数の画素及び前記画像の第２方向における第４の数の画素が前記ディスプレイ装置（１０）の使用者にとって可視であって、前記第３の数の画素が前記第１の数の画素よりも少なく及び／又は前記第４の数の画素が前記第２の数の画素よりも少ない、請求項１から３のいずれか一項に記載のディスプレイ装置（１０）。
【請求項５】
前記ディスプレイ装置（１０）がヒューマンマシンインタフェースを含み、又は前記ディスプレイ装置（１０）がヒューマンマシンインタフェースに関連付けられ、
前記ディスプレイ装置（１０）の使用者との相互作用に従って前記ヒューマンマシンインタフェースを介して選択情報が前記ディスプレイ装置（１０）に送られ、
前記選択情報に応じて前記第１動作モードに従って又は前記第２動作モードに従って前記ディスプレイ装置（１０）が動作する、請求項１から４のいずれか一項に記載のディスプレイ装置（１０）。
【請求項６】
前記情報は、前記ディスプレイ装置（１０）の使用者の識別に従って生成される、請求項１から５のいずれか一項に記載のディスプレイ装置（１０）。
【請求項７】
前記ディスプレイ装置（１０）は液晶ディスプレイ（ＬＣＤ）モジュールを含む、請求項１から６のいずれか一項に記載のディスプレイ装置（１０）。
【請求項８】
前記ディスプレイ装置（１０）はマトリクスディスプレイモジュールを含む、請求項１から７のいずれか一項に記載のディスプレイ装置（１０）。
【請求項９】
前記反射素子（１３）は、前記自動車のフロントガラス（１４）に対して所定距離に配置された素子である、請求項１から８のいずれか一項に記載のディスプレイ装置（１０）。
【発明の詳細な説明】
【技術分野】
【０００１】
本発明は、特に自動車用のディスプレイ装置に関する。
【背景技術】
【０００２】
ヘッドアップディスプレイ（ＨＵＤ）装置は、特に、特許文献１又は特許文献２に記載されるようなフロントガラスに画像を投影するものが知られている。ヘッドアップディスプレイ装置の投影画像が、特に自動車の運転者のような使用者の様々なニーズに柔軟に適合することができれば有利である。
【先行技術文献】
【特許文献】
【０００３】
【特許文献１】特開昭６４−１６３２号公報
【特許文献２】国際公開第２００７／０９０８２４（Ａ１）号
【発明の概要】
【発明が解決しようとする課題】
【０００４】
そのような周知技術の装置の欠点は、投影モジュールが生成する画像を当該ディスプレイ装置の使用者に可視化する光路の可変性が、一般に不十分であるか又は全くない点にある。
【課題を解決するための手段】
【０００５】
本発明は、特に上述のような周知技術の欠点を緩和することを特に目的とし、さらには、自動車の様々な使用者の様々なニーズに適合することができるディスプレイ装置を提案することを目的とする。
【０００６】
本発明によれば、この目的は、特に自動車用のディスプレイ装置であって、
＊投影モジュールと、
＊光路と
を含み、
当該光路は、少なくとも一つの反射素子を含み、
当該反射素子は、当該投影モジュールを起点とする画像を少なくとも部分的に、当該ディスプレイ装置の使用者の通常の視線方向に反射するべく設けられ、
当該投影モジュールを起点とする画像は当該投影モジュールによって生成され、
当該ディスプレイ装置は、第１動作モード及び第２動作モードで動作するべく設けられ、
当該光路の第１構成は当該ディスプレイ装置の第１動作モードに適用され、かつ、当該光路の第２構成は当該ディスプレイ装置の第２動作モードに適用され、
当該ディスプレイ装置の第２動作モードでは、当該投影モジュールによって生成された画像の少なくとも一部が、当該ディスプレイ装置の使用者にとって、当該ディスプレイ装置の第１動作モードに対して拡大された態様で可視となるディスプレイ装置によって達成される。
【０００７】
ディスプレイ装置の当該実施形態によれば、有利なことに、ディスプレイ装置の使用を柔軟にすること、特に、例えば弱視者のような特殊な表示を必要とする者にとって適切にすることができる。
【０００８】
本発明の好ましい改善は、ディスプレイ装置の第２動作モードが、投影モジュールによって生成された画像の一部のみを当該ディスプレイ装置の使用者にとって可視とする点にある。
【０００９】
ディスプレイ装置の当該実施形態によれば、本発明により、ディスプレイ装置の第１動作モード及びディスプレイ装置の第２動作モードの双方において、運転者に対して同じサイズの視野をもたらす光路を与えることができる。唯一の差異は、例えば使用者に対して投影モジュールによって生成された画像すべてを提示するのではなく、その画像の一部分のみが光路によってディスプレイ装置の使用者の視野に送られるということである。
【００１０】
本発明の特に好ましい改善は、ディスプレイ装置の第２動作モードにおいて、投影モジュールによって生成された画像すべてがディスプレイ装置の使用者にとって可視となる点にある。
【００１１】
ディスプレイ装置の当該実施形態によれば、有利なことに、投影モジュールによって生成された画像すべてを、ディスプレイ装置の使用者の視野に表示又は投影されるように提示することができる。
【００１２】
本発明のもう一つの好ましい改善は、
＊投影モジュールによって生成された画像は、当該画像の第１方向では第１の数の画素（ピクセル）を含み、かつ、当該画像の第２方向では第２の数の画素（ピクセル）を含む画像であり、
＊ディスプレイ装置の第２動作モードでは、当該画像の第１方向における第３の数の画素及び当該画像の第２方向における第４の数の画素が当該ディスプレイ装置の使用者にとって可視であって、第３の数の画素が第１の数の画素よりも少なく及び／又は第４の数の画素が第２の数の画素よりも少ない点にある。
【００１３】
本発明に係るディスプレイ装置の当該実施形態によれば、有利なことに、相対的に簡単な態様で光路を与えることによって、光路の拡大率を簡単に増加させる一方、ディスプレイ装置の使用者の視野に送られかつ投影される投影モジュールの生成画像の一部を低減させることができる。
【００１４】
本発明の特に好ましい改善は、ディスプレイ装置がヒューマンマシンインタフェースを含み又はディスプレイ装置がヒューマンマシンインタフェースに関連付けられ、ディスプレイ装置の使用者との相互作用に従ってヒューマンマシンインタフェースを介して選択情報がディスプレイ装置に送られ、当該選択情報に応じて第１動作モードに従って又は第２動作モードに従ってディスプレイ装置が動作する点にある。
【００１５】
したがって、本発明に係るディスプレイ装置の動作モードを容易に変更することができる。
【００１６】
本発明のさらにもう一つの特に好ましい改善は、ディスプレイ装置の使用者の識別に従って情報が生成される点にある。
【００１７】
本発明に係るディスプレイ装置の当該実施形態によれば、有利なことに、個人が識別された場合に適切な動作モードが自動的に選択されるように、ディスプレイ装置の使用者である様々な運転者又は様々な個人に対して好ましい動作モードを格納することができる。
【００１８】
本発明の特に好ましい改善は、ディスプレイ装置が液晶ディスプレイ（ＬＣＤ）モジュールを含む点にある。
【００１９】
本発明のもう一つの特に好ましい改善は、ディスプレイ装置がマトリクスディスプレイモジュールを含む点にある。
【００２０】
本発明の特に好ましい改善は、反射素子が、自動車のフロントガラスに対して所定距離に配置された素子である点にある。
【００２１】
本発明のさらにもう一つの特に好ましい改善は、反射素子が、一方にある反射素子の使用位置と、他方にある反射素子の待機位置との間で伸縮自在に設けられる点にある。
【００２２】
本発明の特に非制限的な実施形態の以下の説明を読むことで、本発明の他の特徴及び利点が明らかとなる。
【図面の簡単な説明】
【００２３】
本発明は、非制限的な例により与えられ、かつ、添付図面を参照して説明される好ましい実施形態に関連する以下の説明により良好に理解される。
【００２４】
【図１】本発明に係るディスプレイ装置を概略的に示す。
【図２】本発明に係るディスプレイ装置の使用者の視野を、投影モジュールによって投影された画像について概略的に示す。
【図３】本発明に係るディスプレイ装置の断面図を概略的に示す。
【発明を実施するための形態】
【００２５】
添付図面の図３に示されるように、本発明に係るディスプレイ装置１０は投影モジュール１１を含む。投影モジュール１１は光路１２に沿って、ディスプレイ装置１０の使用者の通常の視線方向１５に画像を生成する。光路１２は少なくとも一つの反射素子１３を含む。このように、光路１２は、図３に示される（単数の）反射素子を含むことができる。さらに、光路１２は、２つの反射素子（図示せず）を含むこともできる。もちろん、ディスプレイ装置１０は、図示されないもう一つの変形例として、２つを超える反射素子１３を含むこともできる。
【００２６】
反射素子１３は、車両のフロントガラス１４の一部であり得る。本発明のもう一つの好ましい変形例では、反射素子１３は、図３に示されるフロントガラス１４の相対的に近くに配置される素子である。本発明のもう一つの好ましい変形例（図示せず）では、反射素子１３は、フロントガラス１４に対して遠く離れて配置される素子である。
【００２７】
好ましくは、反射素子１３は、一方にある反射素子１３の使用位置と、他方にある反射素子１３の待機位置との間で伸縮自在に設けることもできる。
【００２８】
通常の視線方向１５は、ディスプレイ装置１０の使用者の、特に車両運転者の、特にフロントガラス１４を通して当該自動車の外側を、例えば当該車両の前方の外側を見る場合の視線方向である。
【００２９】
本発明に係るディスプレイ装置１０は、投影モジュール１１において、液晶ディスプレイ（ＬＣＤ）モジュールであるディスプレイモジュールを含むのが好ましい。さらに、ディスプレイモジュールはマトリクスディスプレイモジュールでもあり得る。本発明によれば、液晶ディスプレイ（ＬＣＤ）モジュールをマトリクスディスプレイモジュールと組み合わせることもできる。すなわち、一部に液晶ディスプレイモジュールを含みかつ一部にマトリクスディスプレイモジュールを含む組み合わせディスプレイモジュールを使用することもできる。本発明によれば、マトリクスディスプレイモジュールの場合、パッシブマトリクスディスプレイモジュールを使用することが好ましい。
【００３０】
本発明によれば、ディスプレイ装置１０は、第１動作モードにおいて及び第２動作モードにおいて動作するべく設けられる。ディスプレイ装置１０の第１動作モードは光路１２の第１構成に対応し、かつ、ディスプレイ装置の第２動作モードは光路１２の第２構成に対応する。これを目的として、光路１２は、当該光路の第１及び第２構成を有効にする少なくとも一つの可変素子を含む。
【００３１】
本発明によれば、ディスプレイ装置の第２動作モードでは、投影モジュールによって生成された画像の少なくとも一部が、ディスプレイ装置の第１動作モードに対して拡大された態様でディスプレイ装置１０の使用者にとって可視となる。これが意味するのは、例えば車両の状態、特に、その速度又は他の、ナビゲーションシステムの表示のようなパラメータに対応する情報を、ディスプレイ装置によって拡大された態様で提示することができるということである。特に、ディスプレイ装置の使用者にとって当該情報の良好な視認をもたらすことができる。
【００３２】
図１において、目３によって示される使用者は、ダッシュボードＩＰの上方に、光学手段２、特に鏡を介してもたらされた虚像ＩＶを見ることができる。
【００３３】
図２に見ることができるように、ディスプレイ装置１０の使用者の画像又は視野ＩＶは、第１領域Ｚ１及び第２領域Ｚ２を含むことができる。これらの領域は、同じ情報内容を、異なるサイズで、特に図又は記号のサイズを異ならせて提示することができる。例えば、第１領域Ｚ１に提示された情報に対し、第２領域Ｚ２では、拡大された情報を提示することができる。したがって、有利なことに、ディスプレイ装置１０の使用者は、情報の２つの提示方法を選択することができる。本発明によれば、情報が大きなサイズで提示される場合、第１表示領域Ｚ１の提示を修正又は変更することによって第２表示領域Ｚ２の情報の自動的な提示を得ることもできる。
【００３４】
本発明によれば、ディスプレイ装置１０の第１又は第２動作モードは、選択情報に応じて選択される。選択情報は、ディスプレイ装置の一部としてもたらされるか又はディスプレイ装置と関連付けられてもたらされるヒューマンマシンインタフェースを使用して、特にディスプレイ装置が取り付けられた自動車の一部となることによって、取得することが好ましい。通常は、ディスプレイ装置１０の使用者は、ヒューマンマシンインタフェースとの相互作用を介して、ディスプレイ装置のもう一つの動作モードが有効又は適用されるように選択情報を変更することができる。
【００３５】
本発明によれば、ディスプレイ装置１０の使用者の視認能力を、測定手段によって自動的に測定することもできる。したがって、選択情報を、すなわちディスプレイ装置の様々な動作モードのどのモードが適用されているかについての情報を、自動的にかつ使用者との相互作用なしで取得することができる。
【００３６】
ディスプレイ装置１０は、本発明によれば、主にＨＵＤ（ヘッドアップディスプレイ）装置として与えられる。
【符号の説明】
【００３７】
１０  ディスプレイ装置
２  光学手段／鏡
３  使用者の目
ＩＰ  ダッシュボード
ＩＶ  虚像
Ｚ１  第１表示領域
Ｚ２  第２表示領域
１１  投影モジュール
１２  光路
１３  反射素子
１４  フロントガラス
１５  ディスプレイ装置の使用者の通常の視線方向
【図１】
2015501440.tif 000003
【図２】
2015501440.tif 000004
【図３】
2015501440.tif 000005
【国際調査報告】
2015501440.tif 000006
2015501440.tif 000007
2015501440.tif 000008
2015501440.tif 000009